(57)【要約】本発明は、シャワー保持装置であって、建造物壁または壁ロッドに固定可能なブラケット（１）が設けられており、該ブラケット（１）に保持部分（２）が、軸（１０）を中心として旋回可能に配置されており、保持部分（２）が、少なくとも１つの摩擦面を有しており、該摩擦面が、調整可能なばねエレメントによって、ブラケット（１）に回動不能に保持された少なくとも１つの面に向かって少なくとも押圧されている形式のものに関する。軸（１０）が、ブラケット（１）に固く結合されており、保持部分（２）が、軸（１０）をスリーブ（２０）で取り囲んでいて、多板ブレーキを介してブラケット（１）に結合されていることが提案されている。
2004514812.tif 000002
【特許請求の範囲】
【請求項１】
シャワー保持装置であって、建造物壁または壁ロッドに固定可能なブラケット（１）が設けられており、該ブラケット（１）に保持部分（２）が、軸（１０）を中心として旋回可能に配置されており、保持部分（２）が、少なくとも１つの摩擦面を有しており、該摩擦面が、調整可能なばねエレメントによって、ブラケット（１）に回動不能に保持された少なくとも１つの面に向かって少なくとも押圧されている形式のものにおいて、軸（１０）が、ブラケット（１）に固く結合されており、保持部分（２）が、軸（１０）をスリーブ（２０）で取り囲んでいて、多板ブレーキを介してブラケット（１）に結合されていることを特徴とする、シャワー保持装置。
【請求項２】
多板ブレーキの、歯列（３０）を介して軸（１０）に回動不能に結合された軸環状板（３）が、金属から製作されており、多板ブレーキの、歯列（４０）を介してスリーブ（２０）に回動不能に結合されたスリーブ環状板（４）が、プラスチックから製作されている、請求項１記載のシャワー保持装置。
【請求項３】
軸環状板（３）が、ステンレス鋼から製作されており、スリーブ環状板（４）が、耐摩耗性のポリエチレン（ＰＥ）から製作されている、請求項２記載のシャワー保持装置。
【請求項４】
軸（１０）が、肩部（５）を備えており、該肩部（５）に軸環状板（３）が、軸方向で支持されており、反対の側で軸（１０）に押圧リング（６）が配置されており、該押圧リング（６）が、軸（１０）のねじ山（７０）に配置されたテンションナット（７）によって、ばね（８）を介在して軸方向で軸環状板（３）に対して緊締されている、請求項１から３までのいずれか１項記載のシャワー保持装置。
【請求項５】
軸（１０）が、ブラケット（１）に設けられた収容孔（１１）内に挿入可能であると共に位置決め可能であり、該収容孔（１１）の拡張された領域にテンションナット（７）と、ばね（８）と、押圧リング（６）とが配置されている、請求項４記載のシャワー保持装置。
【請求項６】
押圧リング（６）が、内側歯列（６０）で軸（１０）にかつ外側歯列（６１）でブラケット（１）に回動不能に結合されているものの、軸方向では移動可能に結合されている、請求項５記載のシャワー保持装置。
【請求項７】
軸（１０）が、差込み位置において、ブラケット（１）内で半径方向ねじ（１２）によって位置決めされており、該半径方向ねじ（１２）が、ヘッド領域でブラケット（１）から軸（１０）の切欠き（１００）内にねじり込み可能である、請求項５または６記載のシャワー保持装置。
【請求項８】
ばね（８）が、複数の皿ばねエレメントから形成されている、請求項１から７までのいずれか１項記載のシャワー保持装置。
【請求項９】
スリーブ（２０）の側方の両端面にそれぞれ１つの滑りリング（２１）が配置されている、請求項１から８までのいずれか１項記載のシャワー保持装置。
【請求項１０】
テンションナット（７）が、外周壁面に少なくとも部分的に歯列（７１）を有しており、該歯列（７１）の領域でブラケット（１）に窓（１３）が設けられており、これによって、テンションナット（７）が、組み付けられた位置で軸方向圧の調整のために位置調整可能である、請求項１から９までのいずれか１項記載のシャワー保持装置。
【請求項１１】
窓（１３）が、フード（１３０）によって閉鎖可能である、請求項１０記載のシャワー保持装置。
【請求項１２】
テンションナット（７）が、その各ねじり位置において、該テンションナット（７）に対して接線方向でまたは半径方向でブラケット（１）内に配置されたピンねじ（７２）によって位置決め可能である、請求項１から１１までのいずれか１項記載のシャワー保持装置。
【請求項１３】
肩部（５）が、端面側から軸（１０）内にねじ山付設部（５０）でねじ込み可能な板（５１）によって形成されている、請求項１から１２までのいずれか１項記載のシャワー保持装置。
【発明の詳細な説明】
【０００１】
本発明は、シャワー保持装置であって、建造物壁または壁ロッドに固定可能なブラケットが設けられており、該ブラケットに保持部分が、軸を中心として旋回可能に配置されており、保持部分が、少なくとも１つの摩擦面を有しており、該摩擦面が、調整可能なばねエレメントによって、ブラケットに回動不能に保持された少なくとも１つの面に向かって少なくとも押圧されている形式のものに関する。
【０００２】
この上位概念部のシャワー保持装置は、ヨーロッパ特許第０５２９３４７号明細書に基づき公知である。この公知のシャワー保持装置では、ブラケットが建造物壁に直接固定されている。しかし、このほかにブラケットを、建造物壁に対して間隔を置いて固定された、シャワー調節レールとも呼ばれる壁ロッド（Ｗａｎｄｓｔａｎｇｅ）に配置することも知られている。この場合、この壁ロッドのブラケットは移動可能であり、その都度所望される位置に位置決め可能である。しかし、この保持装置は比較的小さな摩擦面しか有していないので、摩耗の少ない運転時には、僅かな制動作用しか獲得することができず、したがって、シャワーを種々異なる旋回位置に保持するために制動作用が十分となるように、保持されたシャワーが可能な限り旋回軸の近くに設けられなければならない。
【０００３】
本発明の課題は、旋回可能な比較的長い保持部分を備えた、種々異なる旋回位置でのシャワーの確実な保持を長い使用期間にわたって保証するシャワー保持装置を提供することである。
【０００４】
この課題は、本発明によれば、軸が、ブラケットに固く結合されており、保持部分が、軸をスリーブで取り囲んでいて、多板ブレーキを介してブラケットに結合されていることによって解決される。
【０００５】
本発明の別の構成は請求項２〜１３に記載されている。
【０００６】
提案された手段によって、特に良好な制動作用のおかげで保持部分がシャワーのための長い旋回アームを備えることができることが達成される。この場合、提案された制動装置は摩耗が僅かであり、極めてコンパクトにかつ場所を節約して形成されているので、装置の外側寸法と、特に衛生設備において一般的なデザイン設定とがほとんど損なわれない。
【０００７】
本発明の別の構成では、据え付けられたシャワー保持装置における制動作用を、外部から接近可能な調整装置によって調整しかつ／または後調整することができる。
【０００８】
制動作用が、規定された制動モーメントに工場側で調整されると有利である。その後、制動構成部材の永久歪み時または長い使用期間後の摩耗時には、調整装置における後調整によって永久歪みまたは摩耗を簡単に補償することができるので、シャワー保持装置は、一方では各旋回位置に確実にとどまっており、しかし、他方では装置を使用者の手によって、その都度所望される旋回位置に容易に運動させることができる。
【０００９】
以下に、本発明の実施例を図面につき詳しく説明する。
【００１０】
図１および図２に部分的に示したシャワー保持装置は、主として、建造物壁に固定可能なブラケット１によって形成される。このブラケット１には少なくとも１つの軸１０が形成されている。この軸１０には、スリーブ２０を備えた保持部分２が旋回可能に配置されている。この場合、この保持部分２には１つまたはそれ以上のシャワーヘッド（図示せず）が保持される。軸１０の外壁とスリーブ２０の内壁との間には多板ブレーキが配置されている。この多板ブレーキは、一方では使用者が保持部分２を軸１０を中心として容易に旋回させることができるように、しかし、他方では保持部分２が、その都度選択された旋回位置に確実にとどまるように設計されている。
【００１１】
この場合、ブラケット１の一方の側には、水平方向に配置された収容孔１１が形成されている。この収容孔１１内には軸１０が挿入可能である。この軸１０は、差込み位置において、全周にわたって延びる切欠き１００内に挿嵌された半径方向ねじ１２によって位置固定される。軸１０の中間の領域にはテンションナット７のためのねじ山７０が配置されている。特に図１１および図１２から知ることができるように、軸１０の、切欠き１００とは反対の側の半部には、拡径された領域に歯列３０が形成されている。軸１０の外側の端面では、板５１がねじ山付設部５０でねじ山付き孔１０１内にねじ込まれている。この場合、板５１は肩部５を形成している。この肩部５で板５１は軸１０の端面に接触している。
【００１２】
特に図５および図６から知ることができるように、スリーブ２０も同じく内壁に歯列４０を有している。さらに、スリーブ２０には半径方向ピン２２が一体成形されている。この半径方向ピン２２には管状の保持部分２（図２参照）が固定可能である。
【００１３】
スリーブ２０の両端面には、滑りリング２１のためのそれぞれ１つの収容部が設けられている。両滑りリング２１は特にラジアル軸受けとして働くので、板積重ね体に半径方向の力は作用しない。
【００１４】
この場合、軸１０とスリーブ２０との間に配置された多板ブレーキは、テンションナット７と、このテンションナット７によって保持された、皿ばねエレメントによって形成されたばね８と、交互に接触して位置する、ステンレス鋼から製作された軸環状板３および耐摩耗性のポリエチレンから製作されたスリーブ環状板４とによって形成される。特に図１０から知ることができるように、軸環状板３は、それぞれ歯列３０によって軸１０に回動不能に保持されるものの、軸方向では移動可能に保持される。この場合、板積重ね体は、それぞれ端部領域で軸環状板３によって閉鎖されている。特に図７および図８に示したスリーブ環状板４は、それぞれ歯列４０によってスリーブ２０に回動不能に保持されるものの、軸方向では移動可能に保持される。特に図１から知ることができるように、軸環状板３とスリーブ環状板４とは交互に軸１０とスリーブ２０との間に配置される。この場合、一方では、外側の軸環状板３が板５１の肩部５に接触しており、他方では、同じく軸環状板３が押圧リング６の端面に当て付けられている。
【００１５】
特に図４から知ることができるように、押圧リング６は内側歯列６０と外側歯列６１とを備えている。この場合、収容孔１１の内壁には、対応する歯列６１が形成されているので、差込み位置において、押圧リング６は軸方向で移動可能にブラケット１と軸１０との間の回動不能な結合体を形成している。
【００１６】
特に図１６および図１７から知ることができるように、テンションナット７の外周壁面にもやはり歯列７１が形成されている。この場合、ブラケット１の収容孔１１の壁には手前の領域に窓１３が形成されている。この窓１３を通して歯列７１を見ることができ、テンションナット７を、たとえばねじ回しのブレードによってねじることができ、これによって、軸１０に対するテンションナット７の位置が調整可能となる。さらに、テンションナット７の不本意な位置ずれを排除することができるように、ブラケット１には、テンションナット７に対して接線方向に配置されたピンねじ７２が設けられている。このピンねじ７２によって、テンションナット７の、その都度所望されるねじり位置が位置決め可能となる。テンションナット７の不正な位置ずれが回避されるように、ブラケット１はフード１３０によってカバー可能である。これによって、窓１３とピンねじ７２とがカバーされる。さらに、フード１３０は、ブラケット１の、視覚的に要求されるライニングを形成している。
【００１７】
シャワー保持装置の組付けは以下の形式で行うことができる：
まず軸１０が板５１に結合される。その後、保持部分２の、滑りリング２１を装着したスリーブ２０が軸１０にわたって、肩部５に当て付けられるまで被せられ得る。これによって、軸環状板３とスリーブ環状板４とを交互にスリーブ２０と軸１０との間の環状の自由室内に押し込むことができる。次いで、歯列３０に押圧リング６が、外側の軸環状板３に当て付けられるまで押し被せられ得る。その後、ばね８が被せられ、次いで、テンションナット７が軸１０のねじ山７０にねじり被せられる。いま、組み立てられた制動ユニットが、軸１０の、テンションナット７を支持する端部領域で収容孔１１内に軸方向で押し込まれ得る。この場合、押圧リング６の外側歯列６１が、収容孔１１の内壁に設けられた対応する歯列６１に係合し、したがって、軸１０をブラケット１に回動不能に結合する。その後、差込み位置において、半径方向ねじ１２が軸１０の切欠き１００内にねじり込まれ得る。これによって、軸１０は軸方向でブラケット１内に位置固定されている。その後、保持部分２がスリーブ２０の半径方向ピン２２に補填され得る。次いで、その後さらに、フード１３０がブラケット１に付与され得る。
【００１８】
制動作用の調整または後調整のためには、フード１３０を取り外しかつピンねじ７２を解離した後、窓１３を通してテンションナット７がねじ山７０に対してねじられ得るので、軸方向位置もしくは板積重ね体に作用する軸方向圧が変化させられる。窓１３をブラケット１に形成することによって、すでにシャワー保持装置が建造物壁に据え付けられている場合の制動作用の後調整も簡単に可能となる。
【００１９】
この場合、シャワーヘッド（図示せず）への水供給は、ブラケット１と、半径方向ピン２２に対して平行にブラケット１の反対の側に枢着された供給管（図示せず）とに設けられた通路１４を介して行うことができる。しかし、択一的には、シャワーヘッドはチューブ管路を介して水供給部に接続されていてもよい。この場合、シャワーヘッドは、シャワー保持装置に定置に配置されているかまたは可動なハンドシャワーとしてシャワー保持装置に差被せ可能であり得る。
【００２０】
前述した実施例では、ブラケット１を建造物壁に直接固定することができる。当然ながら、ブラケット１は、建造物壁に間隔を置いて固定された、シャワー調節レールとも呼ばれる壁ロッドに高さ調節可能に配置することができるように形成されていてもよい。
【図面の簡単な説明】
【図１】
図２の切断平面Ｉで見たシャワー保持装置の部分図である。
【図２】
図１に示したシャワー保持装置を切断平面ＩＩで見た図である。
【図３】
図１に示した押圧リングの側面図である。
【図４】
図３に示した押圧リングを９０゜だけ回動させた図である。
【図５】
図１に示した保持部分の一部の縦断面図である。
【図６】
図５に示した部分を９０゜だけ回動させた側面図である。
【図７】
図１に示したスリーブ環状板の縮小側面図である。
【図８】
図７に示したスリーブ環状板を９０゜だけ回動させた図である。
【図９】
図１に示した軸環状板の縮小側面図である。
【図１０】
図９に示した軸環状板を９０゜だけ回動させた図である。
【図１１】
図１に示した軸の縮小図である。
【図１２】
図１１に示した軸を９０゜だけ回動させた図である。
【図１３】
図１２に示した軸を切断平面ＸＩＩＩで見た図である。
【図１４】
図１に示した板の縮小図である。
【図１５】
図１４に示した板を９０゜だけ回動させた図である。
【図１６】
図２に示したテンションナットの縮小図である。
【図１７】
図１６に示したテンションナットを切断平面ＸＶＩＩで見た図である。
【符号の説明】
１　ブラケット、　２　保持部分、　３　軸環状板、　４　スリーブ環状板、　５　肩部、　６　押圧リング、　７　テンションナット、　８　ばね、　１０　軸、　１１　収容孔、　１２　半径方向ねじ、　１３　窓、　１４　通路、　２０　スリーブ、　２１　滑りリング、　２２　半径方向ピン、　３０　歯列、　４０　歯列、　５０　ねじ山付設部、　５１　板、　６０　内側歯列、　６１　外側歯列、　７０　ねじ山、　７１　歯列、　７２　ピンねじ、　１００　切欠き、　１０１　ねじ山付き孔、　１３０　フード
【国際公開パンフレット】
2004514812.tif 000003
2004514812.tif 000004
2004514812.tif 000005
2004514812.tif 000006
2004514812.tif 000007
2004514812.tif 000008
2004514812.tif 000009
2004514812.tif 000010
2004514812.tif 000011
2004514812.tif 000012
2004514812.tif 000013
2004514812.tif 000014
2004514812.tif 000015
2004514812.tif 000016
2004514812.tif 000017
2004514812.tif 000018
2004514812.tif 000019
2004514812.tif 000020
2004514812.tif 000021
2004514812.tif 000022
【国際調査報告】
2004514812.tif 000023
2004514812.tif 000024
2004514812.tif 000025
2004514812.tif 000026